(57)【要約】【課題】ダミーのオブジェクトを配置することで、空いているフリースペースをあたかも利用しているように見せることのできる仕組みを提供すること。【解決手段】所定のエリアを撮影する撮影手段で撮影した画像データを管理する管理手段と、前記撮影した所定のエリアの画像を表示制御する表示制御手段と、前記表示制御手段により表示された所定のエリアの選択をユーザより受け付ける選択受付手段と、前記選択受付手段により選択を受けた所定のエリアに対してダミーの画像データを付加するダミー画像データ付加手段と、を有し、前記表示制御手段は、前記ダミー画像データ付加手段によってダミー画像が付加された場合には、当該ダミー画像を付加して、前記撮影した画像データを表示制御する。【選択図】図７
2018107772.tif 000002
【特許請求の範囲】
【請求項１】
所定のエリアを撮影する撮影手段で撮影した画像データを管理する管理手段と、
前記撮影した所定のエリアの画像を表示制御する表示制御手段と、
前記表示制御手段により表示された所定のエリアの選択をユーザより受け付ける選択受付手段と、
前記選択受付手段により選択を受けた所定のエリアに対してダミーの画像データを付加するダミー画像データ付加手段と、を有し、
前記表示制御手段は、前記ダミー画像データ付加手段によってダミー画像が付加された場合には、当該ダミー画像を付加して、前記撮影した画像データを表示制御することを特徴とする情報処理装置。
【請求項２】
前記ダミー画像を表示する時間を決定する表示時間決定手段を更に有し、
前記表示制御手段は、前記表示時間決定手段によって決定された時間、前記ダミー画像を表示した後、当該ダミー画像を表示しないよう制御することを特徴とする請求項１記載の情報処理装置。
【請求項３】
前記表示時間決定手段は、前記所定のエリアの選択を行ったユーザの在席場所に応じて表示時間を決定することを特徴とする請求項２記載の情報処理装置。
【請求項４】
前記ユーザの在席場所に関する情報を含むユーザ情報を記憶するユーザ情報記憶手段を更に有し、
前記在席場所は、前記ユーザ情報を利用して特定されることを特徴とする請求項３記載の情報処理装置。
【請求項５】
前記ユーザの在席場所の拠点と、前記所定のエリアの存在する拠点が異なる場合には、前記ダミー画像の表示を行わないよう制御することを特徴とする請求項３または４記載の情報処理装置。
【請求項６】
前記ダミー画像が付加されて表示されている所定のエリアが、前記所定のエリアを選択したユーザ以外のユーザに利用された場合には、その旨を前記ユーザに対して通知する通知手段を更に有することを特徴とする請求項１乃至５のいずれか１項に記載の情報処理装置。
【請求項７】
前記表示制御手段は、前記所定のエリアの選択を行ったユーザとは異なるユーザに対して、前記ダミー画像の表示を行い、前記所定のエリアの選択を行ったユーザに対しては前記ダミー画像の表示を行わないことを特徴とする請求項１乃至６のいずれか１項に記載の情報処理装置。
【請求項８】
所定のエリアを撮影する撮影手段で撮影した画像データを管理する管理手段を有する情報処理装置の制御方法であって、
前記撮影した所定のエリアの画像を表示制御する表示制御ステップと、
前記表示制御ステップにより表示された所定のエリアの選択をユーザより受け付ける選択受付ステップと、
前記選択受付ステップにより選択を受けた所定のエリアに対してダミーの画像データを付加するダミー画像データ付加ステップと、を有し、
前記表示制御ステップは、前記ダミー画像データ付加ステップによってダミー画像が付加された場合には、当該ダミー画像を付加して、前記撮影した画像データを表示制御することを特徴とする情報処理装置の制御方法。
【請求項９】
所定のエリアを撮影する撮影手段で撮影した画像データを管理する管理手段を有する情報処理装置で読み取り可能なプログラムであって、
前記情報処理装置を、
前記撮影した所定のエリアの画像を表示制御する表示制御手段と、
前記表示制御手段により表示された所定のエリアの選択をユーザより受け付ける選択受付手段と、
前記選択受付手段により選択を受けた所定のエリアに対してダミーの画像データを付加するダミー画像データ付加手段と、を有し、
前記表示制御手段は、前記ダミー画像データ付加手段によってダミー画像が付加された場合には、当該ダミー画像を付加して、前記撮影した画像データを表示制御することを特徴とする情報処理装置として機能させるためのプログラム。
【発明の詳細な説明】
【技術分野】
【０００１】
本発明は、情報処理装置、情報処理装置の制御方法、およびプログラムに関する。
【背景技術】
【０００２】
一般に、企業には、予約が必要な会議室の他、予約不要でミーティングの開催が可能な、いわゆる「フリースペース」が存在する。
【０００３】
フリースペースは、突発的な打ち合わせが発生した場合に、フリースペースですぐに打ち合わせができるというメリットがある一方、予約不要であるために、現在誰がフリースペースを使っているかは、フリースペースの場所まで移動して確認する必要があり、もし空いていない場合には、一旦戻ったりする必要があるというデメリットがあった。
【０００４】
そこで、フリースペースをネットワークカメラで撮影し、撮影した映像をユーザが確認可能とすることで、フリースペースに人がいるかを確認することを可能とすることが考えられる。
【０００５】
特許文献１には、ネットワークカメラで会議室を撮影し、撮影した映像をユーザが確認できる仕組みが開示されている。
【先行技術文献】
【特許文献】
【０００６】
【特許文献１】特開２０１２−３４１５１号公報
【発明の概要】
【発明が解決しようとする課題】
【０００７】
特許文献１の仕組みを利用してフリースペースを撮影するようにすれば、利用者はフリースペースの利用状況を把握することができる。
【０００８】
しかしながら、フリースペースは通常の予約が必要な会議室とは異なり予約ができないため、空いていることを確認してユーザがフリースペースに向かったとしても時間差で別の利用者に使われてしまうことがある。
【０００９】
そこで本発明では、ダミーのオブジェクトを配置することで、空いているフリースペースをあたかも利用しているように見せることのできる仕組みを提供することを目的とする。
【課題を解決するための手段】
【００１０】
所定のエリアを撮影する撮影手段で撮影した画像データを管理する管理手段と、前記撮影した所定のエリアの画像を表示制御する表示制御手段と、前記表示制御手段により表示された所定のエリアの選択をユーザより受け付ける選択受付手段と、前記選択受付手段により選択を受けた所定のエリアに対してダミーの画像データを付加するダミー画像データ付加手段と、を有し、前記表示制御手段は、前記ダミー画像データ付加手段によってダミー画像が付加された場合には、当該ダミー画像を付加して、前記撮影した画像データを表示制御する。
【発明の効果】
【００１１】
本発明によると、空いているフリースペースをあたかも利用しているように見せることのできる仕組みを提供することが可能となる。
【図面の簡単な説明】
【００１２】
【図１】本発明の実施形態におけるモニタリングシステムの全体構成の一例を示す図である。
【図２】本発明の実施形態におけるサーバ１００、クライアントＰＣ１０１に適用可能な情報処理装置のハードウェア構成の一例を示す図である。
【図３】本発明の実施形態におけるネットワークカメラ１０２のハードウェアの構成の一例を示す図である。
【図４】本発明の実施形態における本発明のモニタリングシステムの機能構成の一例を示す機能構成図である。
【図５】本発明の実施形態における本発明の実施形態におけるモニタリングシステムが導入された建物のフロアの一例を示す図である。
【図６】本発明の実施形態におけるネットワークカメラ１０２の画像データの閲覧画面（モニタリング画面）の一例を示す図である。
【図７】本発明の実施形態におけるフリースペースの仮予約画面の一例を示す図である。
【図８】本発明の実施形態におけるモニタリングシステムの設定画面の一例を示す図である。
【図９】本発明の実施形態におけるモニタリングシステムの全体処理の一例を示すフローチャートである。
【図１０】本発明の実施形態におけるダミー画像表示処理の一例を示すフローチャートである。
【図１１】本発明の実施形態における本発明の実施形態におけるユーザ情報テーブルの一例を示す図である。
【発明を実施するための形態】
【００１３】
以下、図面を参照して、本発明の実施形態を詳細に説明する。なお、以下説明する実施形態は、本発明を具体的に実施した場合の一例を示すもので、特許請求の範囲に記載した構成の具体的な実施形態の１つである。
【００１４】
まず、図１を用いて、本発明の実施形態におけるモニタリングシステムの全体構成の一例について説明する。
【００１５】
本発明の実施形態におけるモニタリングシステム（情報処理システム）は、サーバ１００、クライアントＰＣ１０１、ネットワークカメラ１０２が、無線（、または有線）ＬＡＮ１２０を介して通信接続可能に接続されている。尚、図１のシステム構成は一例であり、用途や目的に応じて様々な構成例がある。
【００１６】
サーバ１００は、ネットワークカメラ１０２において撮影された画像データを記憶管理する。また、サーバ１００は、当該サーバ１００で記憶管理する画像データを解析し、画像データに含まれるユーザの特定や、仮予約を受け付けた場合にダミーの画像を表示する機能を有する。さらに、サーバ１００は、仮予約を受け付けた後、別のユーザを撮影した場合には、仮予約を行ったユーザにその旨を通知する機能を有する。
【００１７】
本発明の実施形態におけるモニタリングシステムは、ネットワークカメラ１０２を複数含み、また、ＴＣＰ／ＩＰプロトコルで通信を行っており、各ネットワークカメラ１０２には、固定のＩＰアドレスが独自に割り当てられると共に、ネットワーク群毎に割り当てられた外部ポート番号が割り当てられている。
【００１８】
従って、サーバ１００では、受信した画像データが何れのネットワークカメラ１０２から送信されたものなのかを識別することが可能であり、受信した画像データと何れのネットワークカメラ１０２から送信されたものなのかを対応づけて記憶管理することが可能である。
【００１９】
ネットワークカメラ１０２は、例えば、企業の建物のフロアの打ち合わせスペース（以下、「フリースペース」や、単に「スペース」「所定のエリア」ともいう）ごとに設けられ、各打ち合わせスペースに出入りするユーザを撮影する。
【００２０】
クライアントＰＣ１０１は、サーバ１００で管理する画像データ（ネットワークカメラ１０２の映像）をユーザが閲覧するために用いられる。ユーザは、クライアントＰＣ１０１を介して、モニタリングシステムにログインすることにより、画像データの閲覧が可能となる。ユーザは画像を閲覧することで、打ち合わせスペースにユーザがいるかを確認することができる。以上で、図１の説明を終了する。
【００２１】
次に、図２を用いて、図１に示したサーバ１００、クライアントＰＣ１０１に適用可能な情報処理装置のハードウェア構成の一例について説明する。
【００２２】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、ＰＣの実行する機能を実現するために必要な後述する各種プログラム等が記憶されている。
【００２３】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、ロードしたプログラムを実行することで各種動作を実現するものである。
【００２４】
また、２０５は入力コントローラで、キーボード（ＫＢ）２０９等のポインティングデバイス等からの入力を制御する。２０６はビデオコントローラで、ＣＲＴディスプレイ（ＣＲＴ）２１０等の表示器への表示を制御する。なお、図２では、ＣＲＴ２１０と記載しているが、表示器はＣＲＴだけでなく、液晶ディスプレイ等の他の表示器であってもよい。
【００２５】
２０７はメモリコントローラで、ブートプログラム、各種のアプリケーション、フォントデータ、ユーザファイル、編集ファイル、各種データ等を記憶する外部記憶装置（ハードディスク（ＨＤ））や、フレキシブルディスク（ＦＤ）、或いはＰＣＭＣＩＡカードスロットにアダプタを介して接続されるＣＦメモリ等の外部メモリ２１１へのアクセスを制御する。
【００２６】
２０８は通信Ｉ／Ｆコントローラで、ネットワークを介して外部機器と接続・通信するものであり、ネットワークでの通信制御処理を実行する。例えば、ＴＣＰ／ＩＰを用いた通信等が可能である。
【００２７】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２８】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる設定ファイル等も外部メモリ２１１に格納されており、これらについての詳細な説明も後述する。以上で、図２の説明を終了する。
【００２９】
次に、図３を用いて、図１に示したネットワークカメラ１０２のハードウェア構成の一例について説明する。図３は、ネットワークカメラ１０２のハードウェアの構成を示す構成図である。
【００３０】
ＣＰＵ３０１は、システムバス３０４に接続される各デバイスやコントローラを統括的に制御する。また、ＲＯＭ３０２あるいは外部メモリ３０５には、ＣＰＵ３０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、画像処理サーバ１０８の実行する機能を実現するために必要な後述する各種プログラム等が記憶されている。ＲＡＭ３０３は、ＣＰＵ３０１の主メモリ、ワークエリア等として機能する。
【００３１】
ＣＰＵ３０１は、処理の実行に際して必要なプログラム等をＲＡＭ３０３にロードして、プログラムを実行することで各種動作を実現するものである。
【００３２】
メモリコントローラ（ＭＣ）３０６は、ブートプログラム、各種のアプリケーション、フォントデータ、ユーザファイル、編集ファイル、各種データ、画像データ等を記憶するハードディスク（ＨＤ）やＰＣＭＣＩＡカードスロットにアダプタを介して接続されるＣＦメモリやスマートメディア（登録商標）等の外部メモリ３０５へのアクセスを制御する。
【００３３】
カメラ部３０７は、画像処理部３０８と接続されており、監視対象に対して向けられたレンズを透過して得られた光をＣＣＤやＣＭＯＳ等の受光セルによって光電変換を行った後、ＲＧＢ信号や補色信号を画像処理部３０８に対して出力する。
【００３４】
画像処理部３０８は、ＲＧＢ信号や捕色信号に基づいて、ホワイトバランス調整、ガンマ処理、シャープネス処理を行い、更に、ＹＣ信号処理を施して輝度信号Ｙとクロマ信号（以下、ＹＣ信号）を生成し、ＹＣ信号を所定の圧縮形式（例えばＪＰＥＧフォーマット、あるいはＭｏｔｉｏｎＪＰＥＧフォーマット等）で圧縮し、この圧縮されたデータは、画像データとして外部メモリ３０５へ一時保管される。
【００３５】
通信Ｉ／Ｆコントローラ（通信Ｉ／ＦＣ）３０９は、ネットワークを介して、外部機器と接続・通信するものであり、ネットワークでの通信制御処理を実行しており、外部メモリ３０５に記憶された画像データは、通信Ｉ／Ｆコントローラ３０９によって外部機器へ送信される。以上で、図３の説明を終了する。
【００３６】
図４は、本発明のモニタリングシステムの機能構成の一例を示す機能構成図である。
【００３７】
モニタリング画面表示制御部４１１、仮予約受付部４１２、ダミー画像表示制御部４１３、表示時間制御部４１４、および利用状況通知部４１５の各機能を有する。
【００３８】
モニタリング画面表示制御部４１１は、図６に示すモニタリング画面を表示する。この画面で仮予約の受付を行ったり、ダミー画像の表示を行ったりする。
【００３９】
仮予約受付部４１２は、利用者より空いているフリースペースの仮予約を受け付ける。仮予約を受け付けると、ダミー画像表示制御部４１３がユーザに対応したダミー画像を所定時間表示させる。
【００４０】
表示時間制御部４１４は、ダミー画像を表示する時間を決定、制御するもので、所定の時間をセットしたり、ユーザの在席場所からの移動時間の応じた時間をセットしたりする機能を有する。
【００４１】
利用状況制御部４１５は、仮予約したフリースペースが別のユーザによって使用中となった場合に、仮予約をしたユーザに対してその旨を通知する機能を有する。
【００４２】
次に、図５を用いて、本発明の実施形態におけるモニタリングシステムが導入された建物のフロアの一例を示す。図５は、フロアを上から見た図である。
【００４３】
図５に示すとおり、フロア５００は、各スペース５０１（点線の枠内が１つのスペース）が、入り口を除いてパーテーションで区切られている。
【００４４】
そして、各スペース５０１にネットワークカメラ１０２が、スペース５０１全体を撮影できるように設置されている。また、スペース５０１には机５０２が配置されている。５０３は、スペース５０１にいるユーザを示す。
【００４５】
本発明の実施形態におけるモニタリングシステムでは、スペース５０１は、システムから予約して利用する形態ではなく、空いていれば誰でも自由に使うことが出来る、いわゆる「フリースペース」である。
【００４６】
そのため、仮に、ネットワークカメラ１０２がない場合には、例えば、フロア５００とは別のフロアにいるユーザが、スペース５０１を使いたいときには、フロア５００まで移動してスペース５０１が空いているかを確認する必要があり、もし空いていない場合には、一旦戻るか、空くまで待機する必要があるため、非常に手間であった。
【００４７】
そこで、発明の実施形態におけるモニタリングシステムでは、ネットワークカメラ１０２をスペース５０１に設置し、クライアントＰＣ１０１を介してユーザがネットワークカメラ１０２の画像データ（映像）を確認可能とすることで、上述した手間を解消することを可能としている。
【００４８】
しかしながら、クライアントＰＣ１０１を介してユーザがネットワークカメラ１０２の画像データを確認可能として、空いてるから利用しようとして移動したとしても、別のユーザに利用されてしまう場合が考えられる。
【００４９】
別のユーザも本モニタリングシステムを利用する場合は、空いていることを確認することが想定できるので、ユーザがフリースペースの画像データ（映像）を確認したときに空いていた場合、当該ユーザ以外には、ダミー画像が表示されることで、あたかも利用しているように見せることができる。
【００５０】
これによって、ダミー画像が表示された後に、本モニタリングシステムを利用したユーザに当該フリースペースを利用される可能性を低くすることが可能となる。
【００５１】
スペース５０１にいるユーザをユーザが認識可能となるように生成されたネットワークカメラ１０２の画像データの閲覧画面とは、例えば、図６に示す画面である。
【００５２】
では、ここから、図６を用いて、ネットワークカメラ１０２の画像データの閲覧画面の一例について説明する。
【００５３】
図６は、クライアントＰＣ１０１からの要求に従って、サーバ１００が生成し、クライアントＰＣ１０１のディスプレイ２１０に表示される画面の一例である。
【００５４】
本発明の実施形態では、図６は、実際のフロア５００をイラスト化した画面を想定しているが、他の実施形態として、フロア５００全体を撮影可能なネットワークカメラ１０２をフロア５００に設置し、当該ネットワークカメラ１０２で撮影した画像を図６の画面に表示しても良い。
【００５５】
フロア６００は、図５のフロア５００に対応するエリアを示している。机アイコン６０６は、図５の机５０２に対応するアイコンである。スペース６０１は、図５のスペース５０１に対応するエリアを示している。
【００５６】
スペース名６０２は、各スペース６０１を識別するための名前を示している。ネットワークカメラアイコン６０４は、各スペースに設置されたネットワークカメラ１０２に対応するアイコンである。
【００５７】
ユーザアイコン６０３は、サーバ１００がネットワークカメラから取得した画像データを解析した結果、スペース５０１にユーザがいると判定された場合に、対応するスペース６０１上に配置されるアイコンである。スペース５０１に複数人いる場合には、ユーザアイコン６０３は、複数配置される。
【００５８】
ここで、本画像を見ているユーザが空いているフリースペースを仮予約したい場合の例について説明する。
【００５９】
フリースペース（Ａ）および（Ｅ）には、ユーザが表示されていないので空いていると判断できる。ユーザは、例えば、フリースペース（Ｅ）に対して仮予約をする場合、仮予約ボタン６０７を押下する。これにより、フリースペース（所定のエリア）の選択をユーザより受け付ける（選択受付手段）。
【００６０】
この仮予約ボタン６０７は、フリースペースに人が映っている時や、ユーザによってユーザアイコンのダミー画像が表示されている時には、表示されないようにするのが望ましい。
【００６１】
フリースペース（Ｅ）の仮予約ボタン６０７が押下され、仮予約された場合、フリースペース６０８に示すように、ユーザアイコンのダミー画像６０９が表示されるようになる。仮予約時の画面イメージについて、図７を利用して説明する。
【００６２】
図７は、フリースペースの仮予約画面の一例を示す図である。
【００６３】
仮予約画面７０１は、仮予約ボタン６０７が押下されたときにユーザの画面に表示される画面である。
【００６４】
仮予約したいフリースペースの表示７０２、ダミー画像が表示される時間７０３、およびユーザの在席場所７０４が表示され、必要に応じてこれらの項目を入力し、ＯＫボタン７０５を押下することで仮予約が実行される。一方、キャンセルボタン７０６が押下されると図６の画面表示に戻る。
【００６５】
時間７０３は、ダミー画像を表示する時間である。デフォルトで１０分間と設定されていれば１０分間と表示され、ユーザによる変更が許可されている場合は、本画面から時間を変更することが可能となる。
【００６６】
また、ユーザの在席場所７０４に応じて変更するようにしてもよい。例えば、２２階からフリースペースまで移動に１０分かかる場合であれば、２２階と入力されると自動的に１０分間と入力され、また、２０階からであれば、自動的に８分間と入力されるようにしてもよい。
【００６７】
また、ユーザの在席場所７０４は、後述するユーザ情報に設定されているものであって、ユーザに対応する在席場所が決定され、それに対応する時間が表示されるようにしてもよい。
【００６８】
これらは、モニタリングシステムの各種設定として設定することが可能であり、各種設定について、図８を利用して説明する。
【００６９】
図８は、モニタリングシステムの設定画面の一例を示す図である。
【００７０】
設定画面８０１は、モニタリングシステムの設定を行う画面であり、管理者や権限の付与されたユーザによって事前に設定される項目である。
【００７１】
表示時間８０２では、固定でデフォルトの時間を表示するか、在席フロアに応じて変更するかを選択する。固定の場合、更に、ユーザによって、変更を受け付けるかどうかの設定（不図示）をすることができる。
【００７２】
在席フロアに応じて変更する場合は、不図示の設定情報を利用して表示時間の設定が行われる。設定情報には、例えば（２２階→１０分間、２０階→８分間、１階→５分間、他拠点→＋５分間）このような設定がなされていて、在席フロアに応じたダミー画像の表示時間が設定される。
【００７３】
利用時の通知８０３では、仮予約済みのフリースペースが別のユーザに利用された場合に、予約したユーザに通知をするかどうかの設定をする。「する」場合、後述するユーザ情報に記憶されたメールアドレス宛てに、別のユーザがフリースペースの利用を開始した旨の通知が行われる。
【００７４】
別のユーザが利用したかどうかは、例えば仮予約したフリースペースを撮影するネットワークカメラ１０２が、ユーザを認識したかどうかにより判定することができる。この場合、利用するユーザが仮予約をした本人であった場合には、画像マッチングなどの結果を用いて、他人である場合にのみ通知するようにすることも可能である。
【００７５】
他拠点からの受付８０４では、フリースペースと異なる拠点（ビル）に在席するユーザからの仮予約を受け付けるかどうかの設定を行う。
【００７６】
「する」とした場合は、他拠点に在席するユーザからでも仮予約を受け付け、一方、「しない」として場合は、他拠点に在席するユーザからの仮予約は受け付けないようにする。この場合、仮予約ボタンを表示しないようにしてもよいし、グレーアウトなどすることで、選択できないようにするようにしてもよい。次にユーザ情報について、図１１を利用して説明する。
【００７７】
図１１は、本発明の実施形態におけるユーザ情報テーブルの一例を示す図である。ユーザ情報テーブルはサーバ１００の外部メモリ２１１（ユーザ情報記憶手段）に記憶される。
【００７８】
ユーザ情報テーブルは、ユーザを示すユーザ名１１０１、ユーザのメールアドレス１１０２、ユーザの在席場所１１０３、ユーザの在席するビル（拠点）１１０４、および仮予約時に表示するダミー画像データ１１０５が記憶されている。ダミー画像データ１１０５は、サーバ１００の外部メモリ２１１などに記憶されているもが利用される。
【００７９】
図９は、モニタリングシステムの全体処理の一例を示すフローチャートである。
【００８０】
ユーザの端末に図６に示すモニタリング画面を表示する処理である。ステップＳ９０１で、対処のエリア（フリースペース）の利用状況把握を行う。具体的には、対象となるエリアのフリースペースが使用されているか、ネットワークカメラ１０２の画像を利用して判定する。
【００８１】
ステップＳ９０２では、仮予約ボタン（図６の６０７）の表示を行う。前述したように、仮予約ボタンは全てのフリースペースに対して表示するようにしても、空いているフリースペースに対して表示するようにしてもよい。
【００８２】
使用中のフリースペースに対して仮予約ボタンが押下された場合には、利用者がいなくなり空き状態となった段階で、ダミー画像を表示するようすればよい。また、その場合は、仮予約したユーザに対して、図７に示す仮予約画面の表示を改めて行い、仮予約の入力をさせるようにするのが望ましい。
【００８３】
ステップＳ９０３では、仮予約ボタンが押下されたかどうかの判定を行い、押下された場合は、ステップＳ９０４でダミー画像表示処理を行い、処理を終了する。ダミー画像表示処理について、図１０を利用して説明する。
【００８４】
図１０は、ダミー画像表示処理の一例を示すフローチャートである。
【００８５】
ステップＳ１００１で、仮予約を利用するユーザのユーザ情報を、図１１に示すユーザ情報テーブルから取得する。
【００８６】
ステッＳ１００２では、モニタリングシステムの設定情報から表示時間に関する表示処理を行うかどうかの設定がされているかどうかの判定を行い、されていない場合は、ステップＳ１００６に進み、されている場合は、表示時間決定手段が表示する時間を決定し、ステップＳ１００３に進む。
【００８７】
表示処理に関する設定は、設定画面８０１の表示時間８０２で設定されるものである。
【００８８】
ステップＳ１００３では、在席場所に応じる設定になっているかを確認し、なっていない場合は、ステップＳ１００５で、規定の時間もしくはユーザによって入力を受け付けた時間をメモリにセットする。
【００８９】
一方、在席場所に応じる設定なっている場合は、ユーザにより受け付けた在席場所、もしくは、ユーザ情報テーブルに記憶されている在席場所に応じた移動時間を取得し、メモリにセットする（在席場所取得手段）。
【００９０】
ステップＳ１００６では、通知する設定がなされているかどうかの判定を行い、通知する設定になっている場合は、ステップＳ１００７で通知するようセットし、ステップＳ１００８に進む。通知する設定は、設定画面８０１の利用時の通知８０３で設定される。
【００９１】
ステップＳ１００８は、本フローチャートでメモリにセットされた内容で、選択されたフリースペースのモニタリング画面に表示するユーザのダミー画像を生成し、表示されるよう不可して送信する（ダミー画像データ付加手段）。ユーザのダミー画像は、ユーザ情報のダミー画像データ１１０５が利用される。
【００９２】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【００９３】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【００９４】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００９５】
その場合、プログラムの機能を有していれば、オブジェクトコード、インタプリタにより実行されるプログラム、ＯＳに供給するスクリプトデータ等の形態であってもよい。
【００９６】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００９７】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【００９８】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００９９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１００】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０１０１】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１０２】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１０３】
１００  サーバ
１０１  クライアントＰＣ
１０２  ネットワークカメラ
【図１】
2018107772.tif 000003
【図２】
2018107772.tif 000004
【図３】
2018107772.tif 000005
【図４】
2018107772.tif 000006
【図５】
2018107772.tif 000007
【図６】
2018107772.tif 000008
【図７】
2018107772.tif 000009
【図８】
2018107772.tif 000010
【図９】
2018107772.tif 000011
【図１０】
2018107772.tif 000012
【図１１】
2018107772.tif 000013